(57)【要約】【課題】仮想無線基地局のビーコン信号のトラフィック量の増加を抑え、周波数利用効率の悪化を抑制することができる。【解決手段】  複数のネットワークを構成する基地局６であって、複数のネットワーク各々の識別子を記憶する第１の記憶部６７と、その複数の識別子を変換した変換後識別子を記憶する第２の記憶部６８と、変換後識別子を送信する第１の通信部６３と、変換後識別子を受信した端末装置が、変換後識別子が含む情報のうち、端末装置が有する第２の識別子と一致する識別子があると判定した場合、端末装置が送信する第２の識別子を受信する第２の通信部６４と、第１の記憶部６７が記憶する複数の識別子と、第２の識別子とが一致するか否かを判定する判定部６５を有し、変換後識別子の数は、識別子の数と比べて少なく、変換後識別子が含む情報は、複数の識別子全てを含む情報であることを特徴とする。【選択図】図２
2010087914.tif 000002
【特許請求の範囲】
【請求項１】
複数のネットワークを構成する基地局であって、
前記複数のネットワークの各々が有する識別子を記憶する第１の記憶部と、
前記第１の記憶部が記憶する複数の識別子を変換した変換後識別子を記憶する第２の記憶部と、
前記変換後識別子を送信する第１の通信部と、
前記変換後識別子を受信した端末装置が、前記変換後識別子が含む情報のうち、前記端末装置が有する第２の識別子と一致する識別子があると判定した場合、前記端末装置が送信する前記第２の識別子を受信する第２の通信部と、
前記第１の記憶部が記憶する複数の前記識別子と、前記第２の識別子とが一致するか否かを判定する判定部とを備え、
前記変換後識別子は、前記記憶部が記憶する複数の識別子の文字列のうち先頭文字から共通の文字数目に共通文字を有する文字列集合に対して、前記共通の文字数目に共通文字を有する１つの文字列に変換することにより生成される識別子であり、
前記変換後識別子の数は、前記識別子の数と比べて少なく、
前記変換後識別子が含む情報は、前記複数の識別子全てを含む情報であることを特徴とする
基地局。
【請求項２】
複数のネットワークを構成する基地局であって、
前記複数のネットワークの各々が有する識別子を記憶する記憶部と、
前記記憶部が記憶する複数の識別子の文字列のうち先頭文字から共通の文字数目に共通文字を有する文字列集合に対して、前記共通の文字数目に前記共通文字を有する１つの文字列に変換することにより変換後識別子を生成する変換部と、
前記変換後識別子を送信する第１の通信部と、
前記変換後識別子を受信した端末装置が、前記変換後識別子が含む情報のうち、前記端末装置が有する第２の識別子と一致する識別子があると判定した場合、前記端末装置が送信する前記第２の識別子を受信する第２の通信部と、
前記記憶部が記憶する複数の前記識別子と、前記第２の識別子とが一致するか否かを判定する判定部とを備え、
前記変換後識別子の数は、前記識別子の数と比べて少なく、
前記変換後識別子が含む情報は、前記複数の識別子全てを含む情報であることを特徴とする
基地局。
【請求項３】
前記変換後識別子は、前記第１の記憶部が記憶する複数の識別子の文字列集合に対して、正規表現を用いることにより、１つの文字列に変換した変換後識別子であることを特徴とする請求項１、又は請求項２記載の基地局。
【請求項４】
前記変換後識別子は、前記第１の記憶部が記憶する複数の識別子の文字列集合に対して、不定文字を用いることにより、１つの文字列に変換した変換後識別子であることを特徴とする請求項１、又は請求項２記載の基地局。
【請求項５】
前記基地局は、ＩＥＥＥ８０２．１１規格の無線システムで動作する無線基地局であることを特徴とする請求項１乃至４いずれか１項記載の基地局。
【請求項６】
各々が識別子を有する複数のネットワークを構成する基地局が送信する前記識別子を変換した変換後識別子を受信する第１の通信部と、
１つの第２の識別子を記憶する第１の記憶部と、
前記変換後識別子が含む情報のうち、前記第１の記憶部が記憶する前記第２の識別子と一致する識別子があるか否かを判定する判定部と、
前記判定部が、一致すると判定した場合、前記第２の識別子を基地局に送信する第２の通信部とを備え、
前記変換後識別子は、前記記憶部が記憶する複数の識別子の文字列のうち先頭文字から共通の文字数目に共通文字を有する文字列集合に対して、前記共通の文字数目に共通文字を有する１つの文字列に変換することにより生成される識別子であり、
前記変換後識別子の数は、前記識別子の数と比べて数が少なく、
前記変換後識別子が含む情報は、前記複数の識別子全てを含む情報であることを特徴とする端末装置。
【請求項７】
複数のネットワークを構成する基地局であって、
前記複数のネットワークの各々が有する識別子を記憶する第１の記憶部と、
前記第１の記憶部が記憶する複数の識別子を変換した変換後識別子を記憶する第２の記憶部と、
第１の判定部とを備える
基地局と、
１つの第２の識別子を記憶する第３の記憶部と、
第２の判定部とを備える
端末装置と、
を備えるシステムにおいて、
前記基地局が、前記変換後識別子を前記端末装置に対して送信し、
前記変換後識別子を受信した前記端末装置の前記第２の判定部は、前記変換後識別子が含む情報のうち、前記第２の識別子と一致する識別子があるか否かを判定し、
前記第２の判定部が、一致すると判定した場合、前記端末装置は、前記基地局に対して、前記第２の識別子を送信し、
前記第２の識別子を受信した前記基地局は、前記第１の判定部により、前記第１の記憶部が記憶する前記複数の識別子と、前記第２の識別子とが一致するか否かを判定し、
前記変換後識別子は、前記記憶部が記憶する複数の識別子の文字列のうち先頭文字から共通の文字数目に共通文字を有する文字列集合に対して、前記共通の文字数目に共通文字を有する１つの文字列に変換することにより生成される識別子であり、
前記変換後識別子の数は、前記識別子の数と比べて数が少なく、
前記変換後識別子が含む情報は、前記複数の識別子全てを含む情報であることを特徴とするシステム。
【請求項８】
複数のネットワークを構成する基地局であって、
前記複数のネットワークの各々が有する識別子を記憶する第１の記憶部と、
前記第１の記憶部が記憶する複数の識別子を変換した変換後識別子を記憶する第２の記憶部と、
第１の判定部とを備える
基地局と、
１つの第２の識別子を記憶する第３の記憶部と、
第２の判定部とを備える
端末装置と、
を備えるシステムにおいて、
前記基地局が、前記変換後識別子を前記端末装置に対して送信するステップと、
前記変換後識別子を受信した前記端末装置の前記第２の判定部は、前記変換後識別子が含む情報のうち、前記第２の識別子と一致する識別子があるか否かを判定するステップと、
前記第２の判定部が、一致すると判定した場合、前記端末装置は、前記基地局に対して、前記第２の識別子を送信するステップと、
前記第２の識別子を受信した前記基地局は、前記第１の判定部により、前記第１の記憶部が記憶する前記複数の識別子と、前記第２の識別子とが一致するか否かを判定するステップとを有し、
前記変換後識別子は、前記記憶部が記憶する複数の識別子の文字列のうち先頭文字から共通の文字数目に共通文字を有する文字列集合に対して、前記共通の文字数目に共通文字を有する１つの文字列に変換することにより生成される識別子であり、
前記変換後識別子の数は、前記識別子の数と比べて数が少なく、
前記変換後識別子が含む情報は、前記複数の識別子全てを含む情報であることを特徴とする通信方法。
【請求項９】
複数のネットワークを構成する基地局の制御プログラムであって、
前記複数のネットワークの各々が有する識別子を記憶する第１の記憶機能と、
前記第１の記憶部が記憶する複数の識別子を変換した変換後識別子を記憶する第２の記憶機能と、
前記変換後識別子を送信する第１の通信機能と、
前記変換後識別子を受信した端末装置が、前記変換後識別子が含む情報のうち、前記端末装置が有する第２の識別子と一致する識別子があると判定した場合、前記端末装置が送信する前記第２の識別子を受信する第２の通信機能と、
前記第１の記憶部が記憶する複数の前記識別子と、前記第２の識別子とが一致するか否かを判定する判定機能を有し、
前記変換後識別子は、前記記憶部が記憶する複数の識別子の文字列のうち先頭文字から共通の文字数目に共通文字を有する文字列集合に対して、前記共通の文字数目に共通文字を有する１つの文字列に変換することにより生成される識別子であり、
前記変換後識別子の数は、前記識別子の数と比べて少なく、
前記変換後識別子が含む情報は、前記複数の識別子全てを含む情報であることを特徴とするプログラム。
【発明の詳細な説明】
【技術分野】
【０００１】
本発明は、無線LANシステムに関する。
【背景技術】
【０００２】
CSMA/CAアクセス方式を採用したIEEE802.11規格の無線LANシステムにおいて、無線ＬＡＮアクセスポイントは、無線ＬＡＮアクセスポイントが構成するＥＳＳ（Extended Service Set）の識別子であるＳＳＩＤ（Service Set Identifier）をビーコン信号に含めて定期的に無線リンクに配信する。
【０００３】
近年、無線LANシステムの大規模化に伴い、利用者やサービスの種別毎に複数のESSを構築する運用方法が導入されつつある。複数のESSを構築する１つの方法としては、ESS毎に無線LANアクセスポイントを設置して、それぞれ独立した管理する方法がある。しかし、この運用方法には、 ESS の導入には新たな無線LANアクセスポイントが必要となり、また、設置に際して電源確保や有線ケーブルの敷設といった導入コストが大きいという問題を生じる。そこで、複数のESSを構築するもう１つの方法として、仮想アクセスポイント技術を用いる方法が注目されている（非特許文献１参照）。
【０００４】
仮想アクセスポイント技術とは、無線LANアクセスポイントが単一の無線周波数上で仮想的に複数のESSを構成する技術である。仮想アクセスポイント技術を用いることで、複数の ESSを物理的に１台の無線LANアクセスポイントに集約して構築することが可能となり、導入コストを低く抑えることが可能となる。
【非特許文献１】IEEE Document IEEE802.11-03/154r1"Virtual Access Points"
【発明の開示】
【発明が解決しようとする課題】
【０００５】
上述したように、仮想アクセスポイント技術を用いることで、無線LANアクセスポイントの設置コストを低く抑えつつ複数のESSを構築することが可能となる。
【０００６】
一方、仮想アクセスポイント技術には、構成するESSが増えるにつれてESS毎に配信されるビーコン信号のトラフィック量が増加する特徴がある。ビーコン信号のトラフィック量が増加すれば、データ通信に利用する帯域が圧迫され、周波数利用効率が悪化する問題を新たに生じる。
【０００７】
本発明は、上記問題点の解決を課題とし、仮想アクセスポイント技術を備える無線LANアクセスポイントが複数のESSを構成する場合であっても、ビーコン信号のトラフィック量の増加を抑え、周波数利用効率の悪化を抑制することができる無線LANアクセスポイントを提供することを目的とする。  
【課題を解決するための手段】
【０００８】
上記目的を達成するために、本発明の実施形態に係る基地局は、複数のネットワークを構成する基地局であって、前記複数のネットワークの各々が有する識別子を記憶する第１の記憶部と、前記第１の記憶部が記憶する複数の識別子を変換した変換後識別子を記憶する第２の記憶部と、前記変換後識別子を送信する第１の通信部と、前記変換後識別子を受信した端末装置が、前記変換後識別子が含む情報のうち、前記端末装置が有する第２の識別子と一致する識別子があると判定した場合、前記端末装置が送信する前記第２の識別子を受信する第２の通信部と、前記第１の記憶部が記憶する複数の前記識別子と、前記第２の識別子とが一致するか否かを判定する判定部とを備え、前記変換後識別子は、前記記憶部が記憶する複数の識別子の文字列のうち先頭文字から共通の文字数目に共通文字を有する文字列集合に対して、前記共通の文字数目に共通文字を有する１つの文字列に変換することにより生成される識別子であり、前記変換後識別子の数は、前記識別子の数と比べて少なく、前記変換後識別子が含む情報は、前記複数の識別子全てを含む情報であることを特徴とする。
【０００９】
又、本発明の実施形態に係る基地局は、複数のネットワークを構成する基地局であって、前記複数のネットワークの各々が有する識別子を記憶する記憶部と、前記記憶部が記憶する複数の識別子の文字列のうち先頭文字から共通の文字数目に共通文字を有する文字列集合に対して、前記共通の文字数目に前記共通文字を有する１つの文字列に変換することにより変換後識別子を生成する変換部と、前記変換後識別子を送信する第１の通信部と、前記変換後識別子を受信した端末装置が、前記変換後識別子が含む情報のうち、前記端末装置が有する第２の識別子と一致する識別子があると判定した場合、前記端末装置が送信する前記第２の識別子を受信する第２の通信部と、前記記憶部が記憶する複数の前記識別子と、前記第２の識別子とが一致するか否かを判定する判定部とを備え、前記変換後識別子の数は、前記識別子の数と比べて少なく、前記変換後識別子が含む情報は、前記複数の識別子全てを含む情報であることを特徴とする。
【００１０】
又、本発明の実施形態に係る端末装置は、各々が識別子を有する複数のネットワークを構成する基地局が送信する前記識別子を変換した変換後識別子を受信する第１の通信部と、１つの第２の識別子を記憶する第１の記憶部と、前記変換後識別子が含む情報のうち、前記第１の記憶部が記憶する前記第２の識別子と一致する識別子があるか否かを判定する判定部と、前記判定部が、一致すると判定した場合、前記第２の識別子を基地局に送信する第２の通信部とを備え、前記変換後識別子は、前記記憶部が記憶する複数の識別子の文字列のうち先頭文字から共通の文字数目に共通文字を有する文字列集合に対して、前記共通の文字数目に共通文字を有する１つの文字列に変換することにより生成される識別子であり、前記変換後識別子の数は、前記識別子の数と比べて数が少なく、前記変換後識別子が含む情報は、前記複数の識別子全てを含む情報であることを特徴とする。
【００１１】
又、本発明の実施形態に係るシステムは、複数のネットワークを構成する基地局であって、前記複数のネットワークの各々が有する識別子を記憶する第１の記憶部と、前記第１の記憶部が記憶する複数の識別子を変換した変換後識別子を記憶する第２の記憶部と、第１の判定部とを備える基地局と、１つの第２の識別子を記憶する第３の記憶部と、第２の判定部とを備える端末装置と、を備えるシステムにおいて、前記基地局が、前記変換後識別子を前記端末装置に対して送信し、前記変換後識別子を受信した前記端末装置の前記第２の判定部は、前記変換後識別子が含む情報のうち、前記第２の識別子と一致する識別子があるか否かを判定し、前記第２の判定部が、一致すると判定した場合、前記端末装置は、前記基地局に対して、前記第２の識別子を送信し、前記第２の識別子を受信した前記基地局は、前記第１の判定部により、前記第１の記憶部が記憶する前記複数の識別子と、前記第２の識別子とが一致するか否かを判定し、前記変換後識別子は、前記記憶部が記憶する複数の識別子の文字列のうち先頭文字から共通の文字数目に共通文字を有する文字列集合に対して、前記共通の文字数目に共通文字を有する１つの文字列に変換することにより生成される識別子であり、前記変換後識別子の数は、前記識別子の数と比べて数が少なく、前記変換後識別子が含む情報は、前記複数の識別子全てを含む情報であることを特徴とする。
【００１２】
又、本発明の実施形態に係る通信方法は、複数のネットワークを構成する基地局であって、前記複数のネットワークの各々が有する識別子を記憶する第１の記憶部と、前記第１の記憶部が記憶する複数の識別子を変換した変換後識別子を記憶する第２の記憶部と、第１の判定部とを備える基地局と、１つの第２の識別子を記憶する第３の記憶部と、第２の判定部とを備える端末装置とを備えるシステムにおいて、前記基地局が、前記変換後識別子を前記端末装置に対して送信するステップと、前記変換後識別子を受信した前記端末装置の前記第２の判定部は、前記変換後識別子が含む情報のうち、前記第２の識別子と一致する識別子があるか否かを判定するステップと、前記第２の判定部が、一致すると判定した場合、前記端末装置は、前記基地局に対して、前記第２の識別子を送信するステップと、前記第２の識別子を受信した前記基地局は、前記第１の判定部により、前記第１の記憶部が記憶する前記複数の識別子と、前記第２の識別子とが一致するか否かを判定するステップとを有し、前記変換後識別子は、前記記憶部が記憶する複数の識別子の文字列のうち先頭文字から共通の文字数目に共通文字を有する文字列集合に対して、前記共通の文字数目に共通文字を有する１つの文字列に変換することにより生成される識別子であり、前記変換後識別子の数は、前記識別子の数と比べて数が少なく、前記変換後識別子が含む情報は、前記複数の識別子全てを含む情報であることを特徴とする。
【００１３】
又、本発明の実施形態に係るプログラムは、複数のネットワークを構成する基地局の制御プログラムであって、前記複数のネットワークの各々が有する識別子を記憶する第１の記憶機能と、前記第１の記憶部が記憶する複数の識別子を変換した変換後識別子を記憶する第２の記憶機能と、前記変換後識別子を送信する第１の通信機能と、前記変換後識別子を受信した端末装置が、前記変換後識別子が含む情報のうち、前記端末装置が有する第２の識別子と一致する識別子があると判定した場合、前記端末装置が送信する前記第２の識別子を受信する第２の通信機能と、前記第１の記憶部が記憶する複数の前記識別子と、前記第２の識別子とが一致するか否かを判定する判定機能を有し、前記変換後識別子は、前記記憶部が記憶する複数の識別子の文字列のうち先頭文字から共通の文字数目に共通文字を有する文字列集合に対して、前記共通の文字数目に共通文字を有する１つの文字列に変換することにより生成される識別子であり、前記変換後識別子の数は、前記識別子の数と比べて少なく、前記変換後識別子が含む情報は、前記複数の識別子全てを含む情報であることを特徴とする。
【発明の効果】
【００１４】
本発明にかかる基地局によれば、仮想アクセスポイント技術を備える無線LANアクセスポイントが複数のＥＳＳを構成する場合であっても、ビーコン信号のトラフィック量の増加を抑え、周波数利用効率の悪化を抑制することができる。
【発明を実施するための最良の形態】
【００１５】
（第１の実施形態）
図１に第１の実施形態に係る無線通信システムを示すブロック図を示す。
【００１６】
本実施形態に係る無線通信システムは、ＩＥＥE802．１１規格の無線通信システムであるとする。
【００１７】
無線通信システムは、ネットワーク１に接続する無線基地局４と、ネットワーク３に接続する無線基地局５と、ネットワーク１及びネットワーク２に接続する仮想無線基地局６と、端末装置７と、端末装置８とを有する。
【００１８】
無線基地局４は、無線リンク９により、無線基地局４が構成するネットワーク１の識別子を送信する。識別子は、例えば、ＳＳＩＤであり、ネットワーク１の識別子は、「ＤＩＶ１−ＮＷ１」である。無線基地局４は、「ＤＩＶ１−ＮＷ１」を有する端末装置が、無線リンク９に接続した場合、その端末装置を、ネットワーク１に接続させる。
【００１９】
また、無線基地局５は、無線リンク１１により、無線基地局５が構成するネットワーク３の識別子を送信する。ネットワーク３の識別子は、「ＤＩＶ２−ＮＷ１」である。無線基地局５は、「ＤＩＶ２−ＮＷ１」を有する端末装置が、無線リンク１１に接続した場合、その端末装置を、ネットワーク３に接続させる。
【００２０】
また、仮想無線基地局６は、ネットワーク１とネットワーク２の２つのネットワークを構成し、ネットワーク１及びネットワーク２の識別子を１つの識別子に変換した変換後識別子を生成し、変換後識別子を、無線リンク１０により送信する。そして、ネットワーク１、ネットワーク２いずれかの識別子を有する端末装置が、無線リンク１０に接続した場合、その端末装置を、ネットワーク１、ネットワーク２のいずれかに接続する装置である。
【００２１】
端末装置７、端末装置８は、それぞれ、ネットワーク１の識別子である「ＤＩＶ１−ＮＷ１」、ネットワーク３の識別子である「ＤＩＶ２−ＮＷ１」を記憶している。
【００２２】
次に、仮想無線基地局６と端末装置７及び８の構成について詳細に説明する。図２に仮想無線基地局、端末装置それぞれのブロック図を示す。
【００２３】
仮想無線基地局６は、複数のネットワークに対応する複数の識別子の文字列を単一の文字列に変換し、変換後の単一の文字列をビーコン信号に含めて送信することができる。
【００２４】
仮想無線基地局６は、ネットワーク識別子入力部６１と、ネットワーク識別子変換部６２と、ビーコン送信部６３と、プローブ受信部６４と、ネットワーク識別子判定部６５と、プローブ応答送信部６６と、ネットワーク識別子記憶部６７と、変換後ネットワーク識別子記憶部６８とを備える。
【００２５】
ネットワーク識別子入力部６１は、ネットワーク識別子記憶部６７に、ネットワーク１及び２の識別子を登録するための入力部である。尚、識別子の入力は、一般的に、仮想無線基地局６の管理者が、ウェブブラウザ等のＧＵＩを通して事前に設定することが可能である。
【００２６】
ネットワーク識別子記憶部６７は、ネットワーク識別子入力部６１により入力されたネットワーク１及び２の識別子を記憶する。
【００２７】
ネットワーク識別子変換部６２は、ネットワーク識別子記憶部６７が記憶している複数の識別子を所定の手順で変換し、変換後識別子を生成する。ネットワーク識別子変換部６２は、ネットワーク識別子記憶部６７が記憶する複数の識別子の文字列のうち先頭文字から共通の文字数目に共通文字を有する文字列集合に対して、共通の文字数目に共通文字を有する１つの文字列に変換することにより変換後識別子を生成する。また、変換後識別子の数は、変換前の識別子の数と比べて少なく、かつ、変換後識別子が含む情報は、ネットワーク識別子６７が記憶している識別子全てを含む情報である。ここで、ネットワーク変換識別子変換部６２は、ネットワーク識別子記憶部６７に記憶された識別子を基に自動変換して変換後識別子を生成する。
【００２８】
識別子を変換する手順としては、例えば、不定文字（ワイルドカード）を用いる方法と正規表現を用いる方法がある。即ち、変換部は、複数の識別子に対して、複数の識別子のうち先頭文字から共通の文字数目に共通文字を有する文字列集合に関して、共通の文字数目の共通文字以外の部分を不定文字や正規表現により表現し、共通の文字数目に共通文字を有する１つの文字列に変換することにより変換後識別子を生成することができる。
【００２９】
不定文字とは、メタキャラクタと呼ばれる特別な意味をもった記号のことである。例えば、「*」という文字を「任意の文字列」を意味するワイルドカードとして規定したものである。ネットワーク識別子変換部６２は、不定文字「*」を用いて、ネットワーク１及び２それぞれのＳＳＩＤ「ＤＩＶ１−ＮＷ１」、「ＤＩＶ１−ＮＷ２」を、１つのＳＳＩＤで「ＤＩＶ１−ＮＷ*」と変換することができる。また、「ＤＩＶ１−ＮＷ１」、「ＤＩＶ１−ＮＷ２」を、「ＤＩＶ１−*」と変換することもできる。
【００３０】
具体的には、ネットワーク識別子記憶部６７から任意の１つの識別子を取りだした後、残りの識別子からもう１つの識別子を取り出して、これらを文字毎に先頭文字から比較する。それぞれの識別子が、先頭文字から第（ｎ−１）文字目までが一致した場合には、第ｎ文字目を＊に置換した変換後識別子を生成し、記憶部６８に記憶する。いずれの文字も不一致の場合には、変換後識別子は生成しない。この場合残りの識別子から別の１つの識別子を取り出して同様に比較をおこなうことを繰り返して、変換後識別子を生成する。本実施形態においては、ネットワーク識別子記憶部６７が記憶するＳＳＩＤ「ＤＩＶ１−ＮＷ１」、「ＤＩＶ１−ＮＷ２」から変換後識別子「ＤＩＶ１−ＮＷ*」を生成する。尚、ＳＳＩＤ「ＤＩＶ１−ＮＷ１」、「ＤＩＶ１−ＮＷ２」から変換後識別子「ＤＩＶ１−*」を生成するように、第ｎ文字以降の文字列を「*」に変換しても良い。
【００３１】
また、正規表現とは、通常の文字とメタキャラクタと呼ばれる特別な意味を持った記号を組み合わせて表記する方法である。例えば、正規表現では「.」という文字を「任意の1文字」を表すメタキャラクタとして規定している。したがって、「DIV1-NW1」と「DIV1-NW2」の２種類の文字列は「.」を用いて「DIV1-NW.」と変換することができる。また、正規表現では「+」という文字を「直前の要素の1回以上の繰り返し」を表すメタキャラクタとして規定しており、「.」と「+」を組み合わせた「.+」を用いることで「任意の1文字の1回以上の繰り返し」という表現が可能となる。したがって、「DIV1-NW1」と「DIV1-NW2」は「DIV1-.+」と変換することができる。
【００３２】
尚、以下の説明では、不定文字を用いる方法により変換した場合を説明する。
【００３３】
変換後ネットワーク識別子記憶部６８は、ネットワーク識別子変換部６２により変換された変換後識別子（例えば、「ＤＩＶ１−ＮＷ*」）を記憶する。また、ネットワーク識別子記憶部６７が記憶する識別子でネットワーク識別子変換部６２により変換されなかった識別子がある場合、その識別子も記憶する。この例では、ネットワーク識別子記憶部６７内の２つのネットワーク識別子に代えて、変換後ネットワーク識別子記憶部６８は１つの変換後識別子を記憶する。
【００３４】
また、ビーコン送信部６３は、変換後識別子（例えば、「ＤＩＶ１−ＮＷ*」）を含むビーコン信号を生成して、無線リンク１０により送信する。尚、ビーコン送信部６３は、定期的にビーコン信号を送信する。
【００３５】
また、プローブ受信部６４は、無線リンク１０を介した端末装置からのプローブ要求を受信する。尚、プローブ要求は、端末装置のネットワーク識別子記憶部が記憶する識別子を含む情報である。
【００３６】
また、ネットワーク識別子判定部６５は、プローブ要求の情報に含まれる識別子と、ネットワーク識別子記憶部６７が記憶する識別子が一致するか否かを判定する。
【００３７】
プローブ応答送信部６６は、前記ネットワーク識別子判定部６５が一致すると判定した場合に、プローブ応答を端末装置に送信する。
【００３８】
次に、端末装置７及び８の構成について説明する。端末装置は、無線基地局または仮想無線基地局からのビーコン信号を受信して得た、ビーコンが持つ識別子と、あらかじめ記憶しておいた端末装置が通信したいと希望するネットワーク（アクセスポイント）の識別子とを比較する。
【００３９】
端末装置は、ビーコン受信部２１と、ネットワーク識別子判定部２２と、プローブ送信部２３と、プローブ応答受信部２４と、ネットワーク識別子記憶部２５とを備える。
【００４０】
ビーコン受信部２１は、無線基地局のビーコン送信部６３が送信したビーコン信号を受信する。
【００４１】
ネットワーク識別子記憶部２５には、端末装置が接続を希望しているネットワークの識別子を記憶している。
【００４２】
ネットワーク識別子判定部２２は、ビーコン信号に含まれる識別子とネットワーク識別子記憶部２５の記憶する識別子とが一致するか否かを判定する。ここで、ビーコン信号に含まれる識別子が、変換後識別子である場合、変換後識別子の不定文字の部分については、その不定文字の意味する全ての意味を有するものとして解釈して判断する。例えば、変換後識別子が、「ＤＩＶ１−ＮＷ*」である場合、「*」は、任意の文字列であるとして解釈する。
【００４３】
また、プローブ送信部２３は、ネットワーク識別子判定部２２が、一致すると判定した場合、無線基地局に対して、プローブ要求を無線リンク１０により送信する。尚、プローブ要求は、ネットワーク識別子記憶部２５が記憶する識別子を含む信号である。
【００４４】
また、プローブ応答受信部２４は、無線基地局が送信するプローブ応答を受信する。
【００４５】
次に、本実施形態に係る無線通信システムの動作方法として、無線リンク９により無線基地局４と接続している端末装置７が、無線リンク１０を介した仮想無線基地局６へと接続を切り替える動作方法について説明する。
【００４６】
図３は、第１の実施形態の無線通信システムの動作を示す図である。図５は、無線通信システム全体の動作の流れ図である。又、図６は、端末装置７の動作を示すフローチャートである。図７は、仮想無線基地局６の動作を示すフローチャートである。
【００４７】
本実施形態にかかる無線通信システムの動作前の初期状態について、説明する。
【００４８】
初期状態は、図３に示されるように、端末装置７が、無線リンク９により無線基地局４を介してネットワーク１に接続している。
【００４９】
たとえば、端末装置７が、無線基地局４の無線リンク９への接続が可能なエリア入り、無線リンク９に接続すると、端末装置７は、無線基地局４が無線リンク９により送信するビーコン信号に含まれるネットワーク１の識別子であるネットワーク識別子（以下では、ＳＳＩD：「ＤＩＶ１−ＮＷ１」とする。）を受信する（S１１）。
【００５０】
端末装置７のネットワーク識別子判定部２２は、ビーコン信号に含まれるＳＳＩDと、ネットワーク識別子記憶部２５に記憶するＳＳＩＤとが一致するか否かを判定する。ネットワーク識別子記憶部２５が記憶するＳＳＩDは、「ＤＩＶ１−ＮＷ１」であり、ビーコン信号に含まれるＳＳＩＤと一致すると判定する（S１２）。
【００５１】
ネットワーク識別子判定部２２が、一致すると判定したために、プローブ送信部２３は、無線基地局４に対して、プローブ要求を送信する。ここで、プローブ要求の信号は、ＳＳＩDフィールドとして、「ＤＩＶ１−ＮＷ１」が設定されている（S１３）。
【００５２】
プローブ要求を受信した無線基地局は、プローブ応答を端末装置７に送信する。ここで、プローブ要求の信号は、ＳＳＩDフィールドとして、「ＤＩＶ１−ＮＷ１」が設定されている。
【００５３】
無線端末のプローブ応答受信部２４は、プローブ応答を受信する（S１４）。プローブ応答を受信した端末装置７は、その後、所定の処理を行うことにより無線基地局４と接続することができる（S１５）。
【００５４】
以上の初期状態を構成するための動作において、端末装置７と無線基地局４とで送受信するビーコン信号、プローブ要求、プローブ応答のSSIDフィールドは全て「DIV1-NW1」が設定されている。IEEE802.11規格で規定されたビーコン信号、プローブ要求、プローブ応答のフレームフォーマットを図４に示す。
【００５５】
次に、無線リンク９により無線基地局４と接続している端末装置７が、無線リンク１０を介した仮想無線基地局６へと接続を切り替える動作方法について説明する。
【００５６】
まず、端末装置７は、無線リンク９による無線基地局４との接続をキャンセルする。
【００５７】
仮想無線基地局６のビーコン送信部６３は、周期的に無線リンク１０によりビーコン信号を送信する。ここで、ビーコン信号は、変換後ネットワーク識別子記憶部６８が記憶する変換後識別子「ＤＩＶ１−ＮＷ*」を含む（Ｓ２１）。
【００５８】
端末装置７は、無線リンク１０により無線基地局６と接続可能な位置に移動すると、端末装置７は、仮想無線基地局６が送信するビーコン信号を受信する（Ｓ１１）。
【００５９】
ビーコン信号を受信した端末装置７のネットワーク識別子判定部２２は、ビーコン信号に含まれる変換後識別子「ＤＩＶ１−ＮＷ*」とネットワーク識別子記憶部２５が記憶している識別子「ＤＩＶ１−ＮＷ１」が一致するか否かを判定する。ここで、ネットワーク識別子判定部２２は、「ＤＩＶ１−ＮＷ*」の「*」を任意の文字列であるとして解釈するため、「ＤＩＶ１−ＮＷ*」と「ＤＩＶ１−ＮＷ１」とが一致すると判定する（Ｓ１２）。
【００６０】
ネットワーク識別子判定部２２が一致すると判定すると、端末装置７のプローブ送信部２３は、ＳＳＩＤ「ＤＩＶ１−ＮＷ１」を含む信号であるプローブ要求を仮想無線基地局６に無線リンク１０により送信する（Ｓ１３）。
【００６１】
他方図７において、仮想無線基地局６のプローブ受信部は、プローブ要求を受信する（Ｓ２２）。
【００６２】
プローブ要求を受信すると、仮想無線基地局６のネットワーク識別子判定部６５は、受信したプローブ要求信号に含まれるＳＳＩD「ＤＩＶ１−ＮＷ１」とネットワーク識別子記憶部６７が記憶する識別子の１つとが一致するか否かを判定する（Ｓ２３）。ネットワーク識別子記憶部６７は、ＳＳＩD「ＤＩＶ１−ＮＷ１」、ＳＳＩD「ＤＩＶ１−ＮＷ２」を記憶している。従って、ネットワーク識別子記憶部６５は、一致すると判定する。
【００６３】
ネットワーク識別子判定部６５が、一致すると判定すると、プローブ応答送信部６６は、端末装置７に対して、無線リンク１０で、プローブ応答を送信する（Ｓ２４）。
【００６４】
再び図６において、端末装置７のプローブ応答受信部２４は、プローブ応答信号を受信する（Ｓ１４）。プローブ応答信号を受信した端末装置７は、その後、所定の処理を行うことにより、ネットワーク１への接続を確立する（Ｓ１５）。
【００６５】
以上の動作により、図３に示すように、端末装置７は、無線リンク９による無線基地局４への接続から、無線リンク１０による仮想無線基地局６への接続へと切り替えることができる。その結果、端末装置７は、仮想無線基地局６を介してネットワーク１へと接続する。
【００６６】
以上より、仮想無線基地局６が構成するネットワーク１、２それぞれのＳＳＩD「ＤＩＶ１−ＮＷ１」ＳＳＩD「ＤＩＶ１−ＮＷ２」を送信するのではなく、１つの変換後ＳＳＩD「ＤＩＶ１−ＮＷ*」により変換してビーコン信号として送信することにより、ビーコン信号のトラフィック量の増加を抑え、周波数利用効率の悪化を抑制することができる。
【００６７】
（例１）
上記実施例においては、仮想無線基地局のネットワーク識別子記憶部が記憶するＳＳＩＤと端末装置が記憶する識別子が一致し、端末装置がネットワークに接続できる例について説明した。下記では、仮想無線基地局のネットワーク識別子記憶部が記憶するＳＳＩDと端末装置が記憶するＳＳＩＤとが一致せず、端末装置が、仮想無線基地局が構成するネットワークに接続できない例について説明する。
【００６８】
図８は、本例にかかる無線通信システムの動作方法を示す図である。図９は、無線通信システム全体の動作の流れ図である。また、また、仮想無線基地局及び端末装置の構成、仮想無線基地局の動作、端末装置の動作は、それぞれ、図２、図７および図６を用いて説明する。
【００６９】
尚、下記では、無線ＬＡＮシステムの各装置及び各装置の各構成要素につき、第１の実施形態に係る無線ＬＡＮシステムと同一の符合を付して説明する。第１の実施形態の例１に係る無線ＬＡＮシステムの構成及び無線ＬＡＮシステムの各装置と各構成要素の機能は、第１の実施形態の無線ＬＡＮシステムと同様であるので説明を省略する。
【００７０】
本例においては、無線リンク１１により無線基地局５と接続し、無線基地局５が構成するネットワーク３（ネットワーク３を識別するＳＳＩＤが、「ＤＩＶ２−ＮＷ１」。）に接続している端末装置８（記憶しているＳＳＩＤは、「ＤＩＶ２−ＮＷ１」。）が、無線リンク１０により仮想無線基地局６に接続し、仮想無線基地局が構成するネットワーク１及び２（ネットワーク１及び２をそれぞれ識別するＳＳＩＤは、「ＤＩＶ１−ＮＷ１」、「ＤＩＶ１−ＮＷ２」。）に接続することを試みる動作について説明する。
【００７１】
仮想無線基地局６のビーコン送信部６３は、変換後ＳＳＩＤ「ＤＩＶ１−ＮＷ*」を含むビーコン信号を周期的に送信する（S21）。
【００７２】
端末装置８は、無線リンク１０により仮想無線基地局６と接続可能な位置に移動すると、端末装置８は、仮想無線基地局６が送信するビーコン信号を受信する（S11）。
【００７３】
ビーコン信号を受信した端末装置８のネットワーク識別子判定部２２は、ビーコン信号に含まれる変換後識別子「ＤＩＶ１−ＮＷ*」とネットワーク識別子記憶部２５が記憶している識別子「ＤＩＶ２−ＮＷ１」が一致するか否かを判定する（S12）。ここで、ネットワーク識別子判定部２２は、「ＤＩＶ１−ＮＷ*」の文字列として解釈する。ビーコン信号に含まれる変換後識別子の４文字目のキャラクタは、「（DIV1の）1」であり、ネットワーク識別子記憶部２５が記憶している識別子の４文字目のキャラクタは、「（DIV2の）2」で一致しないため、ネットワーク識別子判定部２２は、一致しないと判定する。即ち、端末装置８は、仮想無線基地局６が構成するネットワーク１及び２は、端末装置８が接続を所望するネットワークではないと判断する。ネットワーク識別子判定部２２が一致しないと判定したため、端末装置８のプローブ送信部２２は、プローブ要求を仮想無線基地局６に対して送信しない。その結果、端末装置８と仮想無線基地局６との接続は確立しない。
【００７４】
以上より、複数のネットワークの識別子を１つの識別子に変換して送信する仮想無線基地局を備える無線通信システムにおいて、仮想無線基地局の構成するネットワークと端末装置が接続を希望するネットワークが異なる場合、即ち、仮想無線基地局のネットワーク識別子記憶部が記憶するＳＳＩDと端末装置が記憶するＳＳＩＤとが一致しない場合、端末装置は、仮想無線基地局が構成するネットワークに接続できないことが示せた。
【００７５】
（例２）
次に、例１と同様、仮想無線基地局６のネットワーク識別子記憶部２５が記憶するＳＳＩDと端末装置が記憶するＳＳＩＤとが一致せず、端末装置が、仮想無線基地局６が構成するネットワークに接続できない例について説明する。
【００７６】
例１においては、仮想無線基地局６が送信する変換後識別子「ＤＩＶ１−ＮＷ*」と端末装置８のネットワーク識別子記憶部２５が記憶している識別子「ＤＩＶ２−ＮＷ１」が一致しない場合について説明したが、本例においては、仮想無線基地局６が送信する変換後識別子「ＤＩＶ１−ＮＷ*」と端末装置のネットワーク識別子記憶部２５が記憶している識別子「ＤＩＶ１−ＮＷ３」は一致するが、仮想無線基地局６のネットワーク識別子記憶部２５が記憶するＳＳＩD（「ＤＩＶ１−ＮＷ１」、「ＤＩＶ１−ＮＷ２」）と端末装置が記憶するＳＳＩＤ（「ＤＩＶ１−ＮＷ３」）とは一致しない場合を示す。
【００７７】
図１０は、本例にかかる無線通信システムの動作方法を示す図である。図１１は、無線通信システム全体の動作の流れ図である。また、仮想無線基地局及び端末装置の構成、仮想無線基地局の動作、端末装置の動作は、それぞれ、図２、図７および図６を用いて説明する。
【００７８】
また、本例に係る無線ＬＡＮシステムの構成及び無線ＬＡＮシステムの各装置と各構成要素の機能は、第１の実施形態の無線ＬＡＮシステムと同様であるので説明を省略する。尚、図１０に示されるように、本例にかかる無線基地局５が構成するネットワーク３の識別子は、「ＤＩＶ１−ＮＷ３」であり、端末装置８のネットワーク識別子記憶部２５が記憶している識別子は、「ＤＩＶ１−ＮＷ３」である点が、第１の実施形態及び例１と異なる。
【００７９】
本例においては、無線リンク１１により無線基地局５と接続し、無線基地局５が構成するネットワーク３（ネットワーク３を識別するＳＳＩＤが、「ＤＩＶ１−ＮＷ３」。）に接続している端末装置８（記憶しているＳＳＩＤは、「ＤＩＶ１−ＮＷ３」。）が、無線リンク１０により仮想無線基地局６に接続し、仮想無線基地局が構成するネットワーク１及び２（ネットワーク１及び２をそれぞれ識別するＳＳＩＤは、「ＤＩＶ１−ＮＷ１」、「ＤＩＶ１−ＮＷ２」。）に接続することを試みる動作について説明する。
【００８０】
仮想無線基地局６のビーコン送信部６３は、変換後ＳＳＩＤ「ＤＩＶ１−ＮＷ*」を含むビーコン信号を周期的に送信する（S21）。
【００８１】
端末装置８は、無線リンク１０により仮想無線基地局６と接続可能な位置に移動すると、端末装置８は、仮想無線基地局６が送信するビーコン信号を受信する（S11）。
【００８２】
ビーコン信号を受信した端末装置８のネットワーク識別子判定部２２は、ビーコン信号に含まれる変換後識別子「ＤＩＶ１−ＮＷ*」とネットワーク識別子記憶部２５が記憶している識別子「ＤＩＶ１−ＮＷ３」が一致するか否かを判定する（S12）。ここで、ネットワーク識別子判定部２２は、「ＤＩＶ１−ＮＷ*」の「*」を任意の文字列であるとして解釈するため、「ＤＩＶ１−ＮＷ*」と「ＤＩＶ１−ＮＷ３」とが一致すると判定する。
【００８３】
ネットワーク識別子判定部２２が一致すると判定すると、端末装置７のプローブ送信部２３は、ＳＳＩＤ「ＤＩＶ１−ＮＷ３」を含む信号であるプローブ要求を仮想無線基地局６に無線リンク１０により送信する（Ｓ１３）。
【００８４】
仮想無線基地局６のプローブ受信部は、プローブ要求を受信する（Ｓ２２）。
【００８５】
プローブ要求を受信すると、仮想無線基地局６のネットワーク識別子判定部６５は、受信したプローブ要求信号に含まれるＳＳＩD「ＤＩＶ１−ＮＷ３」とネットワーク識別子記憶部６７が記憶する識別子の１つとが一致するか否かを判定する（Ｓ２３）。ネットワーク識別子記憶部６７は、２つのＳＳＩＤ、ＳＳＩD「ＤＩＶ１−ＮＷ１」、ＳＳＩD「ＤＩＶ１−ＮＷ２」を記憶しており、ＳＳＩD「ＤＩＶ１−ＮＷ３」を記憶していない。したがって、ネットワーク識別子判定部６５は、一致しないと判定する。ネットワーク識別子判定部６５が一致しないと判定したため、仮想無線基地局６のプローブ応答送信部は、プロー部応答を端末装置８に送信しない。端末装置８は、プローブ応答を受信しないため、仮想無線基地局６が構成するネットワーク１及び２は、端末装置８が接続を所望するネットワークではないと判断する。その結果、端末装置８と仮想無線基地局６との接続は確立しない。
【００８６】
以上より、仮想無線基地局がビーコン信号で送信する変換後識別子「ＤＩＶ１−ＮＷ*」と端末装置８のネットワーク識別子記憶部２５が記憶している識別子「ＤＩＶ１−ＮＷ３」が一致する場合であっても、仮想無線基地局が構成するネットワークと端末装置８が接続を希望するネットワークが異なる場合、即ち、仮想無線基地局のネットワーク識別子記憶部が記憶するＳＳＩDと端末装置が記憶するＳＳＩＤとが一致しない場合には、端末装置は、仮想無線基地局が構成するネットワークに接続しないことが示せた。
【００８７】
また、本例のように、仮想無線基地局がビーコン信号で送信する変換後識別子とネットワーク識別子記憶部２５が記憶している識別子とが一致する場合、仮想無線基地局がネットワーク識別子記憶部６７に記憶するネットワーク識別子と端末装置８が記憶する識別子とが異なることを判断するために、仮想無線基地局６は、ネットワーク識別子判定部６５を備える必要があることがわかる。
【００８８】
以上より、複数のネットワークの識別子を１つの識別子に変換して送信する仮想無線基地局を備える無線通信システムにおいて、仮想無線基地局が構成するネットワークと端末装置が接続を希望するネットワークが同じ場合、即ち、仮想無線基地局のネットワーク識別子記憶部が記憶するＳＳＩDと端末装置が記憶するＳＳＩＤとが一致する場合、端末装置は、希望するネットワークに接続でき、仮想無線基地局の構成するネットワークと端末装置が接続を希望するネットワークが異なる場合、即ち、仮想無線基地局のネットワーク識別子記憶部が記憶するＳＳＩDと端末装置が記憶するＳＳＩＤとが一致しない場合、端末装置は、仮想無線基地局が構成するネットワークに接続できないことが示せた。
【００８９】
したがって、仮想無線基地局６が構成するネットワーク１、２それぞれのＳＳＩD「ＤＩＶ１−ＮＷ１」ＳＳＩD「ＤＩＶ１−ＮＷ２」を、１つの変換後ＳＳＩD「ＤＩＶ１−ＮＷ*」により変換してビーコン信号として送信することにより、ビーコン信号のトラフィック量の増加を抑え、周波数利用効率の悪化を抑制することができる。
【００９０】
なお、この仮想無線基地局６は、例えば、汎用のコンピュータ装置を基本ハードウェアとして用いることでも実現することが可能である。すなわち、ネットワーク識別子入力部６１と、ネットワーク識別子変換部６２と、ビーコン送信部６３と、プローブ受信部６４と、ネットワーク識別子判定部６５と、プローブ応答受信部６６と、ネットワーク識別子記憶部６７と変換後ネットワーク識別子記憶部６８は、上記のコンピュータ装置に搭載されたプロセッサにプログラムを実行させることにより実現することができる。このとき、仮想無線基地局６は、上記のプログラムをコンピュータ装置にあらかじめインストールすることで実現することで実現しても良いし、ＣＤ−ＲＯＭなどの記憶媒体に記憶して、あるいはネットワークを介して上記のプログラムを配布して、このプログラムをコンピュータ装置に適宜インストールすることで実現しても良い。また、ネットワーク識別子記憶部６７と変換後ネットワーク識別子記憶部６８は、上記のコンピュータ装置に内蔵あるいは外付けされたメモリ、ハードディスクもしくはＣＤ−Ｒ、ＣＤ−ＲＷ、ＤＶＤ−ＲＡＭ，ＤＶＤ−Ｒなどの記憶媒体などを適宜利用して実現することができる。
【００９１】
また、端末装置７及び８についても、仮想無線基地局６と同様に、汎用のコンピュータ装置を基本ハードウェアとして用いることでも実現することが可能である。そして、ビーコン受信部２１と、ネットワーク識別子判定部６２と、プローブ送信部２３と、プローブ応答受信部２４と、ネットワーク識別子記憶部は、上記のコンピュータ装置に搭載されたプロセッサにプログラムを実行させることにより実現することができる。
【００９２】
なお、本発明は上記第1の実施形態、例１及び例２そのままに限定されるものではなく、実施段階ではその要旨を逸脱しない範囲で構成要素を変形して具体化できる。
【００９３】
例えば、第１の実施形態、例１及び例２の仮想無線基地局６は、１つの変換後識別子を送信していたが、複数の変換後識別子を送信しても良い。この場合、変換後識別子の数は、ネットワーク識別子記憶部６７が記憶している識別子より少ないこととする。
【００９４】
また、第１の実施形態、例１及び例２の仮想無縁基地局６は、ネットワーク識別子変換部６２が、ネットワーク識別子記憶部６７に記憶している識別子のうち変換できない識別子がある場合に、その識別子は、変換後識別子とともに変換後ネットワーク識別子記憶部６８に記憶される。その後、その識別子も端末装置に送信され、端末装置のネットワーク識別子判定部２５の判定対象となるものとする。
【００９５】
また、第１の実施形態、例１及び例２の変換後識別子に、不定文字を１つ用いる場合を示したが、複数の不定文字を用いても良い。
【００９６】
また、第１の実施形態及び例１、例２においては、仮想無線基地局は、２つのネットワークを構成していたが、３つ以上のネットワークを構成していても良い。その場合、仮想無線基地局は、ネットワークを特定するネットワーク識別子を３つ以上記憶していても良い。
【００９７】
また、第１の実施形態及び例１、例２においては、仮想無線基地局が１つ、仮想無線基地局以外の無線基地局が２つ、端末装置が２つの場合について示したが、それぞれの個数はこれに限られない。
【００９８】
また、上記第1の実施形態、例１及び例２に開示されている複数の構成要素の適宜な組み合わせにより、種々の発明を形成できる。例えば、第1の実施形態、例１及び例２に示される全構成要素から幾つかの構成要素を削除してもよい。さらに、第1の実施形態、例１及び例２にわたる構成要素を適宜組み合わせてもよい。
【００９９】
例えば、第１の実施形態及び例１、例２においては、ネットワーク識別子記憶部６７が記憶している複数の識別子を所定の手順で変換し、変換後識別子を生成するネットワーク識別子変換部６２を設けたが、ネットワーク識別子変換部６２を削除した構成であっても良い。この場合、例えば、ネットワーク識別子記憶部６７が記憶している複数の識別子を図示しない表示部に表示させ、仮想無線基地局６の管理者が、所定の規則に基づいて、変換して変換後識別子を設定入力し、変換後識別子記憶部６８に直接記憶させても良い。この場合、管理者は、例えば、ウェブブラウザ等のGUIを通して事前に仮想基地局に変換後識別子を手動設定することが可能である。
【図面の簡単な説明】
【０１００】
【図１】第１の実施形態に係る無線通信システムを示すブロック図
【図２】第１の実施形態、例１及び例２の仮想無線基地局、端末装置それぞれのブロック図
【図３】第１の実施形態の無線通信システムの動作を示すブロック図
【図４】第１の実施形態の無線基地局、端末装置間のビーコン信号、プローブ要求、プローブ応答のフレームフォーマットを示す図
【図５】第１の実施形態の無線通信システム全体の動作の流れ図
【図６】第１の実施形態、例１及び例２の端末装置の動作を示すフローチャート
【図７】第１の実施形態、例１及び例２の仮想無線基地局の動作を示すフローチャート
【図８】例１にかかる無線通信システムの動作を示すブロック図
【図９】例１に係る無線通信システム全体の動作の流れ図
【図１０】例２にかかる無線通信システムの動作方法を示すブロック図
【図１１】無線通信システム全体の動作の流れ図
【符号の説明】
【０１０１】
１，２、３・・・ネットワーク
４，５・・・無線基地局
６・・・仮想無線基地局
７，８・・・端末装置
９、１０、１１・・・無線リンク
２１・・・ビーコン受信部
２２・・・ネットワーク識別子判定部
２３・・・プローブ送信部
２４・・・プローブ応答受信部
２５・・・ネットワーク識別子記憶部
６１・・・ネットワーク識別子入力部
６２・・・ネットワーク識別子変換部
６３・・・ビーコン送信部
６４・・・プローブ受信部
６５・・・ネットワーク識別子判定部
６６・・・プローブ応答送信部
６７・・・ネットワーク識別子記憶部
６８・・・変換後ネットワーク識別子記憶部
【図１】
2010087914.tif 000003
【図２】
2010087914.tif 000004
【図３】
2010087914.tif 000005
【図４】
2010087914.tif 000006
【図５】
2010087914.tif 000007
【図６】
2010087914.tif 000008
【図７】
2010087914.tif 000009
【図８】
2010087914.tif 000010
【図９】
2010087914.tif 000011
【図１０】
2010087914.tif 000012
【図１１】
2010087914.tif 000013